(57)【要約】【課題】  扇風機の首振り機能を用いても洗濯物全体に均一に風がいきわたらないため、乾き方にムラが発生する。そのうえ、乾かないと衣服内で雑菌が繁殖するため生乾きのにおいが発生する。【解決手段】  洗濯物の上部に設置した扇風機４の首振り機構のウォーム軸を延長し、その端部にクランク１０を設け、室内物干し装置の架台側の案内板５の長穴１２内部にクランクの突起１１が嵌るよう配置することにより、扇風機４のモーターが回転すると上記クランク１０の突起１１が長穴１２内を遊動することで、扇風機４本体が首振りと同期してリニアガイドに案内され水平方向にスライド往復するようにした。【選択図】図３
2017164447.tif 000002
【特許請求の範囲】
【請求項１】
一対のＡ字形状の脚部の頂部同志を１本の上部連結パイプで連結し、前記脚部の斜辺中間同志を２本の中間連結パイプで連結して構成され、前記脚部のＡ字の頂部を上とする架台と、
モータ軸の一端にファンを取り付け、モータ軸の他端にウォームギヤ減速機を取り付け、前記ウォームギヤ減速機のウォームホイール軸により駆動される首振りリンク機構を有する扇風機と、
前記上部パイプに固定されたレールと、当該レールと組み合わされるスライダーと、からなるリニアガイドと、
前記ウォームホイール軸の延長軸端部に設けられ、そのクランク腕の外周部に前記ウォームホイール側と反対側に突出する突起を有するクランクと、
前記突起の径よりもやや大きな平行間隔で、前記クランク腕長さの２倍以上の長さの一対の長辺からなる長穴を有する平面状の案内板と、
を備え、
前記案内板を、その平面が垂直となるよう、かつ前記長穴が上下に長くなるよう、前記上部連結パイプの中央部で下方に向け固定し、
前記扇風機を、ファンが下向きとなるよう、かつ前記ウォームホイール軸が前記案内板の平面に直交するよう、かつ前記クランクの突起が前記案内板の長穴に嵌まり込むよう、前記スライダーに組み付け、
前記扇風機のモータが回転すると、前記ウォームギヤ減速機で減速された前記クランクが回転し、前記クランクの突起が前記案内板の長穴内部を上下に遊動することにより、前記扇風機が前記リニアガイドに案内されて往復しながら、かつ前記首振りリンク機構により首振りしながら、前記扇風機のファンが前記中間連結パイプに吊り下げられた洗濯物に風を送ることを特徴とする室内物干し装置。
【請求項２】
前記扇風機の往復の方向と首振りの方向とが同期するよう、前記首振りリンク機構と前記ウォームホイール軸に対するクランクの取り付け角度との関係を設定したことを特徴とする、
請求項１に記載された室内物干し装置。
【請求項３】
前記架台の脚部は、そのＡ字形状の頂部を中心軸として開閉自在に構成され、前記脚部を構成する２本の棒状部材同志を連絡する、折り畳み可能な２つ折り部材を備え、前記脚部の開脚時の開度を直線状となった前記２つ折り部材が規制することを特徴とする、
請求項１又は２に記載された室内物干し装置。
【発明の詳細な説明】
【技術分野】
【０００１】  本発明は、部屋干しする際に乾燥させる装置に関する。
【背景技術】
【０００２】  雨の日など、外に洗濯物を干すことができない時には部屋干し用の物干し竿を用いて自然乾燥させるか、扇風機で風を送って乾燥させる。または乾燥機を用いて乾燥させていた。
先行技術として、洗濯物の上部に扇風機を設置してそこから風を送ることで洗濯物を乾かすというものがあった（特許文献１）。
【先行技術文献】
【特許文献】
【０００３】
【特許文献１】  特開２０１２−２００９７号公報
【発明の概要】
【発明が解決しようとする課題】
【０００４】  特許文献１の構造だと扇風機の首振り機能を用いても洗濯物全体に均一に風がいきわたらないため、乾き方にムラが発生する。そのうえ、乾かないと衣服内で雑菌が繁殖するため生乾きのにおいが発生する。
【課題を解決するための手段】
【０００５】  本発明の室内物干し装置は、一対のＡ字形状の脚部の頂部同志を１本の上部連結パイプで連結し、前記脚部の斜辺中間同志を２本の中間連結パイプで連結して構成され、前記脚部のＡ字の頂部を上とする架台と、モータ軸の一端にファンを取り付け、モータ軸の他端にウォームギヤ減速機を取り付け、前記ウォームギヤ減速機のウォームホイール軸により駆動される首振りリンク機構を有する扇風機と、前記上部パイプに固定されたレールと、当該レールと組み合わされるスライダーと、からなるリニアガイドと、前記ウォームホイール軸の延長軸端部に設けられ、そのクランク腕の外周部に前記ウォームホイール側と反対側に突出する突起を有するクランクと、前記突起の径よりもやや大きな平行間隔で、前記クランク腕長さの２倍以上の長さの一対の長辺からなる長穴を有する平面状の案内板と、を備え、前記案内板を、その平面が垂直となるよう、かつ前記長穴が上下に長くなるよう、前記上部連結パイプの中央部で下方に向け固定し、前記扇風機を、ファンが下向きとなるよう、かつ前記ウォームホイール軸が前記案内板の平面に直交するよう、かつ前記クランクの突起が前記案内板の長穴に嵌まり込むよう、前記スライダーに組み付け、前記扇風機のモータが回転すると、前記ウォームギヤ減速機で減速された前記クランクが回転し、前記クランクの突起が前記案内板の長穴内部を上下に遊動することにより、前記扇風機が前記リニアガイドに案内されて往復しながら、かつ前記首振りリンク機構により首振りしながら、前記扇風機のファンが前記中間連結パイプに吊り下げられた洗濯物に風を送ることを特徴とする。
【発明の効果】
【０００６】  本発明の室内物干し装置は、扇風機の首振り機構のウォーム軸を延長し、その端部にクランクを設け、室内物干し装置の架台側の案内板の長穴内部にクランクの突起が嵌るよう配置することにより、扇風機のモーターが回転すると上記クランクの突起が長穴内を遊動することで、扇風機本体が首振りと同期してリニアガイドに案内され水平方向にスライド往復するようにしたので、首振りするだけのものに比べ大幅に送風範囲を広げることが出来る。
このおかげで洗濯物全体に風がいきわたって乾きやすくなる。それに伴い、半乾き状態が長時間続くことにより雑菌が繁殖することによって発生するにおいを抑えることができる。【０００７】  また、本件発明の室内物干装置は、十分な送風範囲を得ることができるので、扇風機を小型にしてもその効果が得られる。【０００８】  また、本発明の物干し竿は、支柱８が関節になっている。そのため特許文献１に記載された洗濯物送風乾燥機と違って、本体をたたむことができてコンパクトに収納できる。
【図面の簡単な説明】
【０００９】
【図１】本発明の室内物干し装置を正面から見た図である。
【図２】本発明の室内物干し装置を横から見た図である。
【図３】本発明の室内物干し装置が往復及び首振りの動作する機構を説明する図である。
【図４】案内板にクランクの突起は嵌った状態を説明する図である。
【発明を実施するための形態】
【００１０】  以下、具体的に説明する。
図２に示すように、本発明の室内物干し装置の架台は、横から見たときにアルファベットのＡの字のような形状をしている。
パイプ１の両側に脚部７が取り付けられる。脚部７の中間部分には棒状の物干し部６が取り付けられる。この物干し部６に衣類など乾燥させたいものを掛ける。
【００１１】  ２つの脚部７を繋ぐ支柱８は関節になっており、折れ曲がる。２つの脚部７は互いに開閉可能になっており、これによって図面２のようにコンパクトに折りたたむことができる。
【００１２】  パイプ１には扇風機４が下向きに取り付けられる。パイプ１の下面に、リニアガイドのレール２が固定され、このリニアガイドのスライダー３に扇風機が固定される。これにより、扇風機４がパイプ１に沿って水平移動できる。
【００１３】  図３は、扇風機４のモータの先端に取り付けてあるウォーム１３が首振り機能の切り替え軸９に取り付けられているウォームホイールとかみ合い、さらにリンク機構１４の歯車とかみ合うことによって、扇風機４は首振り運動が可能である。
首振り速度をさらにゆっくりとするには、リンク機構側の歯車の歯数を多くすることによって回転速度が遅くなる。それによってリンク機構１４の動きがさらにゆっくりとなり、それに連動して首振り運動がゆっくりとなる。
【００１４】  図３に示すように、扇風機４の本体から延びる首振り機能の切り替え軸９を延長させて、その先にクランク１０と突起１１を取り付ける。
図４に示すように、突起１１は、案内板５に設けられた長穴１２に嵌まっている。軸９は首振り運動のときに回転し、この回転によってクランク１０の先端に取り付けられた突起１１が回転する。この突起１１が長穴１２に沿って動く。案内板５はパイプ１に固定されているので、突起１１が長穴１２に沿って図面４のように往復移動し、扇風機４がレール２に沿って水平移動する。
【００１５】  このように、扇風機４が首振り運動を行うと共に、水平移動する。このため、広範囲に衣服に風を送ることができる。また、この構造のおかげで送風範囲が広がるので扇風機を小型化することができる。それにより重量を軽くすることができる。
【符号の説明】
【００１６】  １：パイプ
２：レール
３：スライダー
４：扇風機
５：案内板
７：脚部
１１：突起
１２：長穴
１３：ウォーム
【図１】
2017164447.tif 000003
【図２】
2017164447.tif 000004
【図３】
2017164447.tif 000005
【図４】
2017164447.tif 000006
【手続補正書】
【提出日】平成29年1月6日(2017.1.6)
【手続補正１】
【補正対象書類名】特許請求の範囲
【補正対象項目名】請求項１
【補正方法】変更
【補正の内容】
【請求項１】
一対のＡ字形状の脚部の頂部同志を１本の上部連結パイプで連結し、前記脚部の斜辺中間同志を２本の中間連結パイプで連結して構成され、前記脚部のＡ字の頂部を上とする架台と、
モータ軸の一端にファンを取り付け、モータ軸の他端にウォームギヤ減速機を取り付け、前記ウォームギヤ減速機のウォームホイール軸により駆動される首振りリンク機構を有する扇風機と、
前記上部連結パイプに固定されたレールと、当該レールと組み合わされるスライダーと、からなるリニアガイドと、
前記ウォームホイール軸の延長軸端部に設けられ、そのクランク腕の外周部に前記ウォームホイール側と反対側に突出する突起を有するクランクと、
前記突起の径よりもやや大きな平行間隔で、前記クランク腕長さの２倍以上の長さの一対の長辺からなる長穴を有する平面状の案内板と、
を備え、
前記案内板を、その平面が垂直となるよう、かつ前記長穴が上下に長くなるよう、前記上部連結パイプの中央部で下方に向け固定し、
前記扇風機を、ファンが下向きとなるよう、かつ前記ウォームホイール軸が前記案内板の平面に直交するよう、かつ前記クランクの突起が前記案内板の長穴に嵌まり込むよう、前記スライダーに組み付け、
前記扇風機のモータが回転すると、前記ウォームギヤ減速機で減速された前記クランクが回転し、前記クランクの突起が前記案内板の長穴内部を上下に遊動することにより、前記扇風機が前記リニアガイドに案内されて往復しながら、かつ前記首振りリンク機構により首振りしながら、前記扇風機のファンが前記中間連結パイプに吊り下げられた洗濯物に風を送ることを特徴とする室内物干し装置。
【手続補正２】
【補正対象書類名】明細書
【補正対象項目名】０００５
【補正方法】変更
【補正の内容】
【０００５】  本発明の室内物干し装置は、一対のＡ字形状の脚部の頂部同志を１本の上部連結パイプで連結し、前記脚部の斜辺中間同志を２本の中間連結パイプで連結して構成され、前記脚部のＡ字の頂部を上とする架台と、モータ軸の一端にファンを取り付け、モータ軸の他端にウォームギヤ減速機を取り付け、前記ウォームギヤ減速機のウォームホイール軸により駆動される首振りリンク機構を有する扇風機と、前記上部連結パイプに固定されたレールと、当該レールと組み合わされるスライダーと、からなるリニアガイドと、前記ウォームホイール軸の延長軸端部に設けられ、そのクランク腕の外周部に前記ウォームホイール側と反対側に突出する突起を有するクランクと、前記突起の径よりもやや大きな平行間隔で、前記クランク腕長さの２倍以上の長さの一対の長辺からなる長穴を有する平面状の案内板と、を備え、前記案内板を、その平面が垂直となるよう、かつ前記長穴が上下に長くなるよう、前記上部連結パイプの中央部で下方に向け固定し、前記扇風機を、ファンが下向きとなるよう、かつ前記ウォームホイール軸が前記案内板の平面に直交するよう、かつ前記クランクの突起が前記案内板の長穴に嵌まり込むよう、前記スライダーに組み付け、前記扇風機のモータが回転すると、前記ウォームギヤ減速機で減速された前記クランクが回転し、前記クランクの突起が前記案内板の長穴内部を上下に遊動することにより、前記扇風機が前記リニアガイドに案内されて往復しながら、かつ前記首振りリンク機構により首振りしながら、前記扇風機のファンが前記中間連結パイプに吊り下げられた洗濯物に風を送ることを特徴とする。